(57)【要約】      （修正有）【課題】既設の開き戸が閉められた状態で、開き戸とその戸枠の隙間が小さい場合（３ｍｍ未満）でも、開き戸、またはその戸枠に加工を施すことなく簡易に取付けることができる簡易補助錠取付用の簡易補助錠受けを提供する。【解決手段】Ｌ形に形成された樹脂製の部品１のＬ形の底辺にあたる面に取り付けられた両面テープ付で耐引張荷重および耐摩耗性を強化した複合繊維２とＬ形の左側面に貼られた両面テープ３により、樹脂製の部品１を既設戸枠７に固定することで、施錠部材を係合し施錠する。Ｌ形に形成された樹脂製の部品１のＬ形の底辺にあたる面に両面テープ付で耐引張荷重および耐摩耗性を強化した複合繊維素材２を貼付けたうえで、施錠部材を係合するための貫通穴４を設けた。【選択図】図３
0003227008.tif 000002
【実用新案登録請求の範囲】
【請求項１】
樹脂製の部品１の一方に取り付けられた複合繊維（耐引張荷重および耐摩耗性を強化（両面テープ付））２と他方に貼られた両面テープ３により、既設戸枠７に樹脂製の部品１を固定し、施錠部材を係合し施錠することを特徴とする簡易補助錠取付用の部材である。
【請求項２】
前記樹脂製の部品１は、Ｌ形に形成され、対向する両辺の一方に複合繊維（両面テープ付）２を貼付け、他方に両面テープ３を貼付けいている。
【請求項３】
また、Ｌ形に形成された前記樹脂製の部品１には、対向する両辺の一方に複合繊維素材（両面テープ付）２を貼付けたうえで、施錠部材を係合するための貫通穴４を設けている。
【考案の詳細な説明】
【技術分野】
【０００１】  本考案は開き戸の開き側側部に簡易に取り付けられる簡易補助錠取付用の部材に関するものである。
【背景技術】
【０００２】  アパートやマンション等の部屋の管理（換気や清掃等）や入居希望者等を内覧するために部屋を案内する場合に、不動産業者等が多数の部屋の鍵を持ってそれぞれの部屋の開閉を行うことは非常に不便なことから、開き戸の開閉を既設の錠を使用せずに、仮設的に簡易補助錠用金具およびこの簡易補助錠を設置・施錠し、多数の部屋を一つの鍵で管理することが知られているが、以下の欠点により設置不可の部屋が生じている。【０００３】  特許文献１〜３に記載されている簡易補助錠等の取付金物は、一端が開き戸の内側において戸枠に固定され、他端が開き戸６とその戸枠７の隙間から開き戸の外側に突出し、挿通孔４を介して施錠部材を係合して施錠可能とする金物で、開き戸６とその戸枠７の隙間が３ｍｍ以上必要としているため、当該隙間が３ｍｍ未満の開き戸には簡易補助錠用金具が取り付けられない欠点があった。【０００４】  この欠点は、従来の簡易補助錠取付用の部材が金属製の金物であること、また、一端が開き戸の内側において戸枠に固定し、他端が開き戸６とその戸枠７の隙間から開き戸の外側に突出させる形状のために生じたものである。
【先行技術文献】
【特許文献】
【０００５】
【特許文献１】特許第４３０７９２３号広報
【特許文献２】実登第３０４４２８９号広報
【特許文献３】実登第３２１５６８５号広報
【考案の概要】
【考案が解決しようとする課題】
【０００６】  かくして、本考案は前記従来の課題に対処するために案出されたものであり、既設の開き戸、あるいはその開き戸の戸枠に加工を施すことなく、開き戸６とその戸枠７の隙間が３ｍｍ未満であっても、容易に取付けることができる簡易補助錠取付用の部材を提供することを目的とするものである。
【課題を解決するための手段】
【０００７】  本考案による簡易補助錠取付用の部材は、樹脂製の部品１に取り付けた複合繊維（両面テープ付）２と両面テープ３により、当該部品１を開き戸の戸枠７に固定し施錠部材を係合する。【０００８】  このため、開き戸６とその戸枠７の間の戸枠側に複合繊維（両面テープ付）２を貼り付けるため、開き戸６とその戸枠７の間に複合繊維（両面テープ付）２の厚み分の隙間があれば取付が可能となるため、隙間が３ｍｍ未満であっても、容易に簡易補助錠取付用の部材を取付けることができる。
【考案の効果】
【０００９】  本考案による簡易補助錠取付用の部材であれば、開き戸とその戸枠の隙間が３ｍｍ未満であっても、開き戸、戸枠等に何等の加工を必要としないで簡単に取付けることができるため、より多くの部屋で簡易補助錠の取付が可能となる。
【図面の簡単な説明】
【００１０】
【図１】  本考案による簡易補助錠取付用の部材の構成を説明する展開図である。
【図２】  本考案による簡易補助錠取付用の部材の構成を説明する構成説明図である。
【図３】  本考案の使用状態を説明する使用状況説明図である。
【考案を実施するための形態】
【００１１】  本考案による簡易補助錠取付用の部材は、Ｌ形に形成された樹脂製の部品１と複合繊維（両面テープ付）２より構成されている。（図１参照）
樹脂製の部品１の一方に複合繊維（両面テープ付）２を接着したうえで、施錠部材を係合するための貫通穴４を設けている。
【００１２】  そして、樹脂製の部品１側の複合繊維（両面テープ付）２には、戸枠７の見込み部に接着するための両面テープを貼っている。
【００１３】  また、樹脂製の部品１の他方には、戸枠７の見付け側に接着するための両面テープ３を貼っている。
【００１４】  なお、戸枠７の見付け側になる樹脂製の部品１は、見付けの幅が狭い場合に容易に切除できるように溝５を設けている。
【符号の説明】
【００１５】１．    樹脂製の部品（施錠部材との係合部）
２．    複合繊維（両面テープ付）
３．    両面テープ
４．    貫通穴
５．    溝
６．    既設の開き戸
７．    既設の戸枠
【図１】
0003227008.tif 000003
【図２】
0003227008.tif 000004
【図３】
0003227008.tif 000005
【手続補正書】
【提出日】令和2年3月25日(2020.3.25)
【手続補正１】
【補正対象書類名】実用新案登録請求の範囲
【補正対象項目名】全文
【補正方法】変更
【補正の内容】
【実用新案登録請求の範囲】
【請求項１】
Ｌ形に形成された樹脂製の部品１のＬ形の底辺にあたる面に取り付けられた両面テープ付で耐引張荷重および耐摩耗性を強化した複合繊維２とＬ形の左側面に貼られた両面テープ３により、前記樹脂製の部品１を既設戸枠７に固定することで、施錠部材を係合し施錠する簡易補助錠受け。
【請求項２】
Ｌ形に形成された樹脂製の部品１のＬ形の底辺にあたる面に両面テープ付で耐引張荷重および耐摩耗性を強化した複合繊維素材２を貼付けたうえで、施錠部材を係合するための貫通穴４を設けた簡易補助錠受け。
【手続補正２】
【補正対象書類名】明細書
【補正対象項目名】全文
【補正方法】変更
【補正の内容】
【考案の詳細な説明】
【技術分野】
【０００１】  本考案は開き戸の開き側側部に簡易に取り付けられる簡易補助錠受けに関するものである。
【背景技術】
【０００２】  アパートやマンション等の部屋の管理（換気や清掃等）や入居希望者等を内覧するために部屋を案内する場合に、不動産業者等が多数の部屋の鍵を持ってそれぞれの部屋の開閉を行うことは非常に不便なことから、開き戸の開閉を既設の錠を使用せずに、仮設的に簡易補助錠用受けおよびこの簡易補助錠を設置・施錠し、多数の部屋を一つの鍵で管理することが知られているが、以下の欠点により設置不可の部屋が生じている。【０００３】  特許文献１〜３に記載されている簡易補助錠受けは、金属製で一端が開き戸の内側において戸枠に固定され、他端が開き戸６とその戸枠７の隙間から開き戸の外側に突出し、挿通孔４を介して施錠部材を係合して施錠可能とする金物で、開き戸６とその戸枠７の隙間が３ｍｍ以上必要としているため、当該隙間が３ｍｍ未満の開き戸には簡易補助錠受けが取り付けられない欠点があった。【０００４】  この欠点は、従来の簡易補助錠受けが金属製の金物であること、また、一端が開き戸の内側において戸枠に固定し、他端が開き戸６とその戸枠７の隙間から開き戸の外側に突出させる形状のために生じたものである。
【先行技術文献】
【特許文献】
【０００５】
【特許文献１】特許第４３０７９２３号公報
【特許文献２】実登第３０４４２８９号公報
【特許文献３】実登第３２１５６８５号公報
【考案の概要】
【考案が解決しようとする課題】
【０００６】  かくして、本考案は前記従来の課題に対処するために案出されたものであり、既設の開き戸、あるいはその開き戸の戸枠に加工を施すことなく、開き戸６とその戸枠７の隙間が３ｍｍ未満であっても、容易に取付けることができる簡易補助錠受けを提供することを目的とするものである。
【課題を解決するための手段】
【０００７】  本考案による簡易補助錠受けは、Ｌ形に形成された樹脂製の部品１のＬ形の底辺にあたる面に取り付けられた両面テープ付で耐引張荷重および耐摩耗性を強化した複合繊維２とＬ形の左側面に貼られた両面テープ３により、前記樹脂製の部品１を開き戸の戸枠７に固定し施錠部材を係合する。【０００８】  このため、開き戸６とその戸枠７の間の戸枠側に両面テープ付で耐引張荷重および耐摩耗性を強化した複合繊維２を貼り付けるため、開き戸６とその戸枠７の間に前記複合繊維２の厚み分の隙間があれば取付が可能となるため、隙間が３ｍｍ未満であっても、容易に簡易補助錠受けを取付けることができる。
【考案の効果】
【０００９】  本考案による簡易補助錠受けであれば、開き戸とその戸枠の隙間が３ｍｍ未満であっても、開き戸、戸枠等に何等の加工を必要としないで簡単に取付けることができるため、より多くの部屋で簡易補助錠の取付が可能となる。
【図面の簡単な説明】
【００１０】
【図１】  本考案による簡易補助錠受けの構成を説明する展開図である。
【図２】  本考案による簡易補助錠受けの構成を説明する構成説明図である。
【図３】  本考案の使用状態を説明する使用状況説明図である。
【考案を実施するための形態】
【００１１】  本考案による簡易補助錠受けは、Ｌ形に形成された樹脂製の部品１と両面テープ付で耐引張荷重および耐摩耗性を強化した複合繊維２より構成されている。（図１参照）
前記樹脂製の部品１のＬ形の底辺にあたる面に両面テープ付で耐引張荷重および耐摩耗性を強化した複合繊維素材２を貼付けたうえで、施錠部材を係合するための貫通穴４を設けている。
【００１２】  そして、両面テープ付で耐引張荷重および耐摩耗性を強化した複合繊維素材２を戸枠７の見込み部に貼り付けることで、前記樹脂製の部品１と戸枠７の見込み部を連結する。
【００１３】  また、前記樹脂製の部品１のＬ形の左側面に貼られた両面テープ３を戸枠７の見付け部に貼り付けることで、前記樹脂製の部品１と戸枠７を固定する。
【００１４】  なお、前記樹脂製の部品１の戸枠７の見付け部側には、戸枠７の見付けの幅が狭い場合に容易に切除できるように溝５を設けている。
【符号の説明】
【００１５】１．      樹脂製の部品（施錠部材との係合部）
２．      複合繊維（両面テープ付）
３．      両面テープ
４．      貫通穴
５．      溝
６．      既設の開き戸
７．      既設の戸枠